(57)【特許請求の範囲】
【請求項１】
装置の状態や設定状態を表示するための表示部と、
前記表示部の表示画面の向きが変位可能に前記表示部を支持する支持部と、
前記表示部の変位を検出する検出部と、
前記検出部の検出結果に応じて、前記表示部に表示させる表示内容を変化させる制御部とを備え、
前記支持部は、上下方向、左右方向および前後方向に変位可能に前記表示部を支持し、
前記支持部は、１または複数のアームを有し、アームが回転自在および伸縮自在に構成され、
前記支持部は、画像形成装置の左右方向に、表示装置を移動自在に構成され、
前記表示部は、画像形成装置の外観図およびメンテナンスの手順を表示可能に構成され、
前記制御部は、メンテナンスの手順を表示する場合に、表示部の表示画面が回動したときは、前記検出部により検出された回転角度に基づいて、外観図を変化させ、回動後の表示画面が向いている方向に対して反対方向から画像形成装置を見たときの画像形成装置の外観図を表示するように制御することを特徴とする画像形成装置。
【請求項２】
前記メンテナンスは、ジャム処理であることを特徴とする請求項１に記載の画像形成装置。
【発明の詳細な説明】
【技術分野】
【０００１】
本発明は、表示装置を備える画像形成装置に関する。
【背景技術】
【０００２】
特許文献１記載の印刷処理装置は、取り外し可能な操作部と、操作部の位置を把握するための手段を備えており、操作部の位置に応じて表示手段が表示手段を行うように構成されている。全長の長い複写機/印刷機において、末端で起きたジャムなどを解除する場合、画面と操作箇所が離れていると、画面を確認しながらジャム解除を行うことが難しいため、操作部が移動した位置により連動して画面を変えて表示することにより操作性を向上させている。
【０００３】
特許文献２記載の画像形成装置は、装置上面に、記録紙のジャム処理説明図を表示する立面液晶表示１を有する複写機等の画像形成装置であり、ジャムの発生により作業者が点検用扉を開放すると、開放された扉を検知し、検知した扉付近よりの立面液晶表示１の液晶表示部のコントラストを最大にする。使用者が、記録紙のジャム処理の目的で正規の位置から移動して、各点検用扉を開放した時に、その近傍からジャム処理操作性を向上させている。
【０００４】
特許文献３記載の画像形成装置は、ジャムが発生した際に、表示部にジャム位置が認識できるようシルエット表示させると共に、動画データを用いてジャムの処理手順を表示させる。
【０００５】
【特許文献１】特開２００６−２３１６７５号公報
【特許文献２】特開２０００−３３０４２９号公報
【特許文献３】特開２０００−１５５５０８号公報
【発明の開示】
【発明が解決しようとする課題】
【０００６】
特許文献１記載の印刷処理装置は、操作部と装置本体とが無線通信を行うことで操作部の位置を認識し、操作部の近傍の装置の状況を表示する内容が示されているため、操作部に備えられる表示手段は小型軽量化されたものとなり視認性を低下させる。また、ジャム解除時には利用者は操作部を手で持った状態で作業を行う必要があるため作業性に問題がある。
【０００７】
また、特許文献２記載の画像形成装置は、液晶表示部の駆動電圧を制御することでコントラストを変えて視認性を改善するものに過ぎず、作業者と表示装置の位置関係から作業者が装置を視察する角度と一致する角度で表示を行うものは無く、作業者にとっては視認性、作業性は十分には向上しない。
【０００８】
本発明の目的は、メンテナンス時などに作業者の違和感を抑え、作業効率を向上させることができる画像形成装置を提供することである。
【課題を解決するための手段】
【０００９】
本発明は、装置の状態や設定状態を表示するための表示部と、
前記表示部の表示画面の向きが変位可能に前記表示部を支持する支持部と、
前記表示部の変位を検出する検出部と、
前記検出部の検出結果に応じて、前記表示部に表示させる表示内容を変化させる制御部とを備え、
前記支持部は、上下方向、左右方向および前後方向に変位可能に前記表示部を支持し、
前記支持部は、１または複数のアームを有し、アームが回転自在および伸縮自在に構成され、
前記支持部は、画像形成装置の左右方向に、表示装置を移動自在に構成され、
前記表示部は、画像形成装置の外観図およびメンテナンスの手順を表示可能に構成され、
前記制御部は、メンテナンスの手順を表示する場合に、表示部の表示画面が回動したときは、前記検出部により検出された回転角度に基づいて、外観図を変化させ、回動後の表示画面が向いている方向に対して反対方向から画像形成装置を見たときの画像形成装置の外観図を表示するように制御することを特徴とする画像形成装置である。
【００１５】
また本発明は、前記メンテナンスは、ジャム処理であることを特徴とする。
【発明の効果】
【００１６】
本発明によれば、表示部の変位に応じて、表示部に表示させる表示内容を変化させるので、たとえばメンテナンス時などに作業者が表示部を動かしたとき、そこに表示される画像は、作業者から見たのと同じに見えるので、表示部の表示画面を見ながら作業するような場合であっても、実際に見える装置と表示された画像とに相関が取れるため、作業者の違和感を抑え、作業効率を向上させることが可能となる。
【００１７】
また、支持部によって、表示部は、少なくとも上下方向または左右方向に変位可能に構成されるので、作業者の所望する方向に表示画面を向けて作業することができる。
【００１８】
また、前記支持部は、１または複数のアームを有し、アームが回転自在に構成される。
【００１９】
また、前記支持部は、１または複数のアームを有し、アームが伸縮自在に構成される。
これにより、作業者の所望する方向に表示画面を向けて作業することができる。
【００２０】
また、上記の表示装置を備えることで、画像形成装置のメンテナンス作業などの作業効率を向上させることができる。
【００２１】
また、前記支持部は、画像形成装置の長手方向に、表示装置を移動自在に構成される。
【００２２】
これにより、オプション装置などを接続した場合でも、表示装置を作業しやすい位置に移動させることができる。
【００２３】
また、表示部の位置に応じて、表示される外観図が変化するので、メンテナンス時などに作業者の違和感を抑え、作業効率を向上させることが可能となる。
【００２４】
また、前記表示部に、メンテナンスの手順を表示することで、表示部の表示画面を見ながら容易にメンテナンス作業を行うことができる。
【００２５】
また本発明によれば、前記メンテナンスとして、ジャム処理の手順を表示することができる。
【発明を実施するための最良の形態】
【００２６】
図１は、本発明の実施の一形態である複写機１００の電気的構成を示すブロック図である。複写機１００は、制御部１、表示装置２、ＲＯＭ３、ＲＡＭ４、画像記憶部５、原稿読取部６、印字部７、電源部８を含んで構成される。
【００２７】
制御部１は、ＣＰＵ(中央処理装置)などで実現され、複写機全体を制御する。表示装置２は、液晶ディスプレイなどで構成された表示部２ａと、各種操作キー、スイッチなどで構成された操作部２ｂと、表示装置２の向きや、表示装置２を支持するアームの角度を検出する検出部２ｃを有する。
【００２８】
ＲＯＭ（Read Only Memory）３は、各種処理プログラムや、各種データを記憶した記憶手段であり、たとえば、複写機の構成と、その外観と内部構成を３次元化した装置図データ、メンテナンスの手順を示した手順データなどを記憶している。ＲＡＭ４（Random    Access Memory）は、印刷や原稿読取などの各種設定内容などを一時的に記憶する記憶手段である。
【００２９】
画像記憶部５は、原稿読取部６で読み取った画像データを蓄積する画像記憶手段である。原稿読取部６は、原稿の画像データを読み取るスキャナ部６ａと、ジャムを検知するジャムセンサ６ｂとを有する。印字部７は、電子写真方式やインクジェット方式などで記録紙に画像データを印字出力する出力部７ａと、ジャムを検知するジャムセンサ７ｂとを有する。電源部８は、複写機全体へ電力を供給する。
【００３０】
図２は、複写機１００の全体構成を示す外観図である。印字部７の上部には、読取原稿を自動的に搬送する原稿自動搬送装置を含む原稿読取部６が配置され、原稿読取部６に表示装置２が設けられる。表示装置２は、装置本体上部に、装置本体から突き出すように、アームに支持され、アームが変位することで、表示装置２の位置を変位させることができる。
【００３１】
図３は、複写機１００にオプション装置を装着した際の構成を示す外観図である。複写機１００の紙面向かって右側には、大量の記録紙を積載する大容量給紙カセット１０１が設けられ、複写機１００の紙面向かって左側には、印刷された記録紙に表紙や合紙を挿入するためのインサーター１０２、印刷された記録紙の折処理を行うための紙折ユニット１０３、印刷された記録紙の中央部にステープル処理を行い、記録紙を２つ折りするサドルユニット１０４、ステープルやパンチ処理を行うフィニッシャー１０５が設けられる。
【００３２】
このように画像形成装置は、オプション装置を装着することで、多くの機能を付加させることができるが、オプション装置を含めた装置全体の大きさが非常に大きくなると、たとえばジャム処理などのメンテナンス作業を行うことが困難となる。
【００３３】
メンテナンス作業の手順自体も複雑であり、一般的には、表示装置２の表示部２ａに作業手順を動画などで表示することで、作業者の作業効率を向上させている。
【００３４】
図４〜６は、複写機１００に紙詰まり（ジャム）が発生した際の、作業手順であるジャムガイダンスの表示例を示す図である。この、ジャムガイダンスは、印字部７の内部でジャムが発生したときの作業手順の一部を示しており、Flashなどの動画データで表示装置２の表示部２ａに表示される。
【００３５】
本例では、「本体の前カバーを開いてください。」という具体的な作業内容を文字により表示するとともに、開くべき前カバーの位置や開く方向などがわかるように装置の外観図も表示する。
【００３６】
表示画面に表示される、「次へ」、「戻る」などのソフトキーを押すことにより、図４〜６に示した各画面表示を適宜切り替えて表示させることも可能であり、表示内容にしたがって、利用者が扉を開けるなどの操作を行うことにより、キーを押すことなく次の画面に切り替わるように構成させる。
【００３７】
図７は、装置本体に取り付けられる表示装置２を支持する支持装置１０の構成を示す外観図である。支持装置１０は、装置本体に設けられる支柱１１と、一方端部が支柱１１に接続され、他方端部が表示装置２に接続され、支柱１１を基準として表示装置２の位置を変位させるためのアーム１２とで構成される。
【００３８】
アーム１２は、第１アーム１３、第２アーム１４、第３アーム１５の３つのアーム部材で構成される。第１アーム１３は、一端部が支柱１１に接続されて水平方向に延びる柱状部材であり、他端部が第２アーム１４の一端部に接続される。一他端部においては、支柱１１の軸芯である鉛直方向の軸芯周りに回転するように構成され、他端部においても同様に、第２アーム１４と鉛直方向の軸芯周りに回転するように構成される。これにより、第１アーム１３は、支柱１１を中心に水平面内を回動するように変位する。
【００３９】
第２アーム１４は、一端部が第１アーム１３に接続され、水平方向に延びる水平部分と水平部分に連続して略９０度屈曲して鉛直上向き方向に延びる鉛直部分とを有し、鉛直部分の他端部が第３アーム１５に接続される。これにより、第２アーム１４は、第１アーム１３を介して、支柱１１を中心に水平面内を回動するように変位するとともに、第１アーム１３の他端部に対して、同じく水平面内を回動するように変位する。
【００４０】
第３アーム１５は、一端部が第２アーム１４に接続され、鉛直方向上向きに延びる部分と、水平方向の回転軸を含み、表示装置２の裏面に接続する接続部分とを有する。これにより、第３アーム１５自体は、鉛直方向の軸線周りに回動するように構成され、表示装置２は、表示部２ａの表示面を傾斜させるように構成されている。
【００４１】
このように、支持装置１０は、支柱１１とアーム１２、および、アーム１２と表示装置２とが回転自在に構成され、それぞれの接続回転部分には、ロータリーエンコーダやボリュームのような回転角度を検出する検出器が内蔵される。作業者が表示装置２を掴み、表示部２ａの表示画面を見易い位置へと移動させた場合、それぞれの検出器で検出された角度に基づいて、表示装置２の位置、表示画面の表示方向などを検出することができる。
【００４２】
以下では、表示装置２の変位状態について説明する。
図８，９は、複写機１００を上から見た図である。図８は、表示装置２を変位させる前の状態で、さらに表示画面が複写機１００の正面を向いている状態を示し、図９は、変位させた後の状態で、表示画面が複写機１００の正面に対して斜め方向に向いている状態を示す。
【００４３】
表示装置２は、装置本体に支持された支持装置１０により支持されており、装置本体と各アーム、およびアームと表示装置２はそれぞれ独立して回動可能となっている。
【００４４】
これらの図では、表示装置２の表示面が鉛直方向に平行となっている状態で、第２アーム１４と第３アーム１５との接続部分において、鉛直方向の軸芯周りに第３アーム１５を回動させた場合の例を示している。
【００４５】
上記のように、第２アーム１４と第３アーム１５との接続部分には、回転角度を検出する検出器が内蔵されているので、作業者によって表示装置２を、水平方向にθ１回転させることで、制御部１は、第３アーム１５が、第２アーム１４に対して回転角度θ１回転したことを認識することができる。
【００４６】
さらに、その他の接続部分の変化がないことも検出されるので、第３アーム１５の回転により、表示装置２の表示画面の向きが水平方向にθ１だけ変位したことも認識できる。
【００４７】
また、図１０，１１は、複写機１００を側方から見た図である。図１０は、表示装置２を変位させる前の状態を示し、図１１は、変位させた後の状態を示す。
【００４８】
これらの図では、表示装置２の表示面が鉛直方向に平行となっている状態で、第３アーム１５と表示装置２との接続部分において、水平方向の軸芯周りに表示装置２を回動させた場合の例を示している。
【００４９】
上記のように、第３アーム１５と表示装置２との接続部分には、回転角度を検出する検出器が内蔵されているので、作業者によって表示装置２を鉛直方向にθ２回転させることで、制御部１は、表示装置２が、第３アーム１５に対して回転角度θ２回転したことを認識することができる。
【００５０】
さらに、その他の接続部分の変化がないことも検出されるので、表示装置２の回転により、表示装置２の表示画面の向きが垂直方向上向きにθ２だけ変位したことも認識できる。
【００５１】
図１２，１３は、表示装置２の表示部２ａに表示される画像例を示す図である。図１２は、図８に示したように、表示部２ａの表示画面が複写機１００の正面を向いている状態での表示画像例を示し、図１３は、図９に示したように、表示部２ａの表示画面が複写機１００に対して斜め方向に向いている状態での表示画像例を示す。
【００５２】
表示部２ａの表示画面が正面を向いている場合には、図１２に示すように、複写機１００を正面から見た正面図を表示する。
【００５３】
なお、制御部１は、支持装置１０の各検出部から検出された検出結果によって、表示画面がいずれの方向を向いているかを認識することが可能であるので、現在表示画面が向いている方向に対して反対方向、すなわち作業者が表示画面を見ているであろう方向から複写機を見たときの複写機１００の外観図を表示するように制御すればよい。
【００５４】
作業者が掴むなどして表示装置２が変位し、表示部２ａの表示画面がθ１だけ回動して斜め方向に向いたときは、制御部１は、検出された回転角度θ１に基づいて、回動後の表示画面が向いている方向に対して反対方向から複写機を見たときの複写機１００の外観図を表示するように制御すればよい。ＲＯＭ３に記憶している画像データが３次元画像データであれば、θ１の変化分に対応して視点方向を水平方向にθ１変化させ、変化後の画像データを表示部２ａに表示させればよい。
【００５５】
このように、複写機１００は、表示装置２の表示画面の向きを検出し、表示画面の向きが変化したときは、その変化に合わせて、表示画面に表示させる画像を変化させることができる。
【００５６】
作業者からどのように複写機１００が見えているかを判断し、作業者から見ている複写機と、表示装置２に表示させる複写機１００の図とが同じに見えるように画面表示を行う。
【００５７】
これにより、たとえばメンテナンス時などに作業者が表示装置２を動かしたとき、そこの表示される画像は、作業者から見た複写機１００と同じに見えるので、複写機１００と表示装置２の表示画面とを交互に見ながら作業するような場合であっても、実際に見える装置と表示された画像とに相関が取れるため、作業者の違和感を抑え、作業効率を向上させることが可能となる。
【００５８】
図１４，１５は、複写機１００を上から見た図である。図１４は、表示装置２を変位させる前の状態で、さらに表示画面が複写機１００の正面を向いている状態を示し、図１５は、変位させた後の状態で、表示画面が複写機１００の正面に向いたまま正面方向へ変位した状態を示す。
【００５９】
支柱１１と第１アーム１３との接続部分、第１アーム１３と第２アーム１４との接続部分、第２アーム１４と第３アーム１５との接続部分でそれぞれ回動することで、表示画面が複写機１００の正面を向いたまま、かつ高さも変化させずに水平方向にのみ変位させて、表示装置２を正面方向へ変位させている。
【００６０】
上記のように、支柱１１と第１アーム１３との接続部分、第１アーム１３と第２アーム１４との接続部分、第２アーム１４と第３アーム１５との接続部分には、回転角度を検出する検出器が内蔵されているので、作業者によって表示装置２を正面方向に距離Ｄだけ移動させると、制御部１は、各接続部分の回転角度に基づいて距離Ｄを算出して認識することができる。
【００６１】
さらに、その他の接続部分の変化がないことも検出されるので、表示装置２の表示画面の向きが正面に向いたまま距離Ｄのみが変位したことを認識できる。
【００６２】
これにより、たとえば、作業者の作業位置を、複写機１００の正面位置とし、これを基準とする、作業者と表示装置２との距離を算出することができる。
【００６３】
次に本発明の他の実施形態について説明する。
本実施形態では、支持装置１０の第２アーム１４ａが伸縮可能に構成されており、第２アーム１４ａの伸縮による変位距離を測定する測定器が備えられていることが、上記の実施形態とは異なる構成であるので、他の構成については、上記の実施形態と同じ参照符号を付して、説明を省略する。
【００６４】
第２アーム１４ａは、第１アーム１３および第３アーム１５と上記実施形態と同様に接続されており、たとえば直径が異なる複数の中空パイプで構成され、その内部にマグネスケールのような変位距離の測定器が内蔵されている。
【００６５】
図１６，１７は、複写機１００を上から見た図である。図１６は、表示装置２を変位させる前の状態で、さらに表示画面が複写機１００の正面を向いている状態を示し、図１７は、変位させた後の状態で、表示画面が複写機１００の正面に向いたまま正面方向へ伸縮変位した状態を示す。
【００６６】
第２アーム１４ａが伸縮することで、表示画面が複写機１００の正面を向いたまま、かつ高さも変化させずに水平方向にのみ変位させて、表示装置２を正面方向へ変位させている。
【００６７】
上記のように、第２アーム１４ａには、伸縮による変位距離の測定器が内蔵されているので、作業者によって表示装置２を正面方向に距離Ｄだけ移動させると、制御部１は、測定された変位距離に基づいて距離Ｄを認識することができる。さらに、その他の接続部分の変化がないことも検出されるので、表示装置２の表示画面の向きが正面に向いたまま距離Ｄのみが変位したことを認識できる。
【００６８】
これにより、たとえば、作業者の作業位置を、複写機１００の正面位置とし、これを基準とする、作業者と表示装置２との距離を算出することができる。
【００６９】
図１８，１９は、表示装置２の表示部２ａに表示される画像例を示す図である。図１８は、図１４、図１６に示したように、表示部２ａの表示画面が複写機１００の正面を向いている状態での表示画像例を示し、図１９は、図１５、図１７に示したように、表示装置２を正面方向に距離Ｄだけ移動させた状態での表示画像例を示す。
【００７０】
図１４、図１６に示したように、表示装置２が、作業者の作業位置からある程度離れた位置にあるときは、ズームアウトして複写機１００の全体を表示するような画像を表示する。図１５、図１７に示したように、表示装置２が作業者の作業位置に近づいた位置にあるときは、ズームアップして複写機１００の一部を表示するような画像を表示する。
【００７１】
このように、複写機１００は、表示装置２の作業者との距離を検出し、表示装置２の距離が変化したときは、その変化に合わせて、表示画面に表示させる画像を変化させることができる。作業者からどのように複写機１００が見えているかを判断し、作業者から見ている複写機と、表示装置２に表示させる複写機１００の図とが同じに見えるように画面表示を行う。
【００７２】
これにより、たとえばメンテナンス時などに作業者が表示装置２を動かしたとき、そこの表示される画像は、作業者から見た複写機１００と同じに見えるので、複写機１００と表示装置２の表示画面とを交互に見ながら作業するような場合であっても、実際に見える装置と表示された画像とに相関が取れるため、作業者の違和感を抑え、作業効率を向上させることが可能となる。
【００７３】
なお、上記では作業者と表示装置２の距離が近づくことによってズームアップして画像を大きく表示し、距離が離れることによってズームアウトして小さく表示する構成を示したが、装置の設定によって逆の構成、すなわち作業者と表示装置２の距離が近づくことによってズームアウトして画像を小さく表示し、距離が離れることによってズームアップして大きく表示する構成としてもよい。
【００７４】
図２０，２１は、複写機１００を上から見た図である。図２０は、表示装置２を変位させる前の状態で、表示画面が複写機１００の正面を向いており、支柱１１を基準位置として、基準位置より水平方向一方側（たとえば右側）に距離Ａ離れた位置に表示装置２がある状態を示し、図２１は、変位させた後の状態で、表示画面が複写機１００の正面を向いており、支柱１１を基準位置として、基準位置より水平方向他方側（たとえば左側）に距離Ｂ離れた位置に表示装置２がある状態を示す。
【００７５】
図３に示したように、装置オプションが装着されることで、装置全体としては横方向に長くなる傾向にあるので、表示装置２を支持する支持装置を左右方向に移動させた場合に、オプションも含めて装置を表示することが望ましい。
【００７６】
支柱１１と第１アーム１３との接続部分、第１アーム１３と第２アーム１４との接続部分、第２アーム１４と第３アーム１５との接続部分でそれぞれ回動することで、表示画面が複写機１００の正面を向いたまま、かつ高さも変化させずに水平方向一方側にのみ変位させて、表示装置２を右方向へ変位させている。このとき、支柱１１と、第１アーム１３と第２アーム１４との接続部分との水平方向距離Ｌ１、および第１アーム１３と第２アーム１４との接続部分と、第２アーム１４と第３アーム１５との接続部分との水平方向距離Ｌ２とは、支柱１１と第１アーム１３との接続部分、第１アーム１３と第２アーム１４との接続部分、第２アーム１４と第３アーム１５との接続部分の回転角度から算出できる。
【００７７】
したがって、制御部１は、水平方向距離Ｌ１、Ｌ２に応じて、表示装置２が複写機１００の右側に距離Ａの位置にあることを認識することができる。
【００７８】
同様に、水平方向他方側にのみ変位させて、表示装置２を左方向へ変位させたとき、支柱１１と、第１アーム１３と第２アーム１４との接続部分との水平方向距離Ｌ３、および第１アーム１３と第２アーム１４との接続部分と、第２アーム１４と第３アーム１５との接続部分との水平方向距離Ｌ４とは、支柱１１と第１アーム１３との接続部分、第１アーム１３と第２アーム１４との接続部分、第２アーム１４と第３アーム１５との接続部分の回転角度から算出できる。
【００７９】
したがって、制御部１は、水平方向距離Ｌ３、Ｌ４に応じて、表示装置２が複写機１００の左側に距離Ｂの位置にあることを認識することができる。
【００８０】
図２２，２３は、表示装置２の表示部２ａに表示される画像例を示す図である。図２２は、図２０に示したように、表示部２ａの表示画面が複写機１００の正面を向いている状態で、支柱１１を基準に距離Ａだけ右側にあるときの表示画像例を示し、図２３は、図２１に示したように、表示部２ａの表示画面が複写機１００の正面を向いている状態で、支柱１１を基準に距離Ｂだけ左側にあるときの表示画像例を示す。
【００８１】
表示装置２が、支柱１１を基準として右側にあるときは、図２２に示すように、水平方向距離に応じてオプション装置を含めた複写機１００全体のうち、右側部分を表示する。これにより、右最端部にある大容量給紙カセットまで表示することができる。
【００８２】
表示装置２が、支柱１１を基準として左側にあるときは、図２３に示すように、水平方向距離に応じてオプション装置を含めた複写機１００全体のうち、左側部分を表示する。これにより、右最端部にあるフィニッシャーまで表示することができる。
【００８３】
このように、複写機１００は、表示装置２の左右方向の位置を検出し、表示装置２の支柱からの左右方向距離が変化したときは、その変化に合わせて、表示画面に表示させる画像を変化させることができる。
【００８４】
作業者からどのように複写機１００が見えているかを判断し、作業者から見ている複写機と、表示装置２に表示させる複写機１００の図とが同じに見えるように画面表示を行う。
【００８５】
これにより、たとえばメンテナンス時などに作業者が表示装置２を動かしたとき、そこの表示される画像は、作業者から見た複写機１００と同じに見えるので、複写機１００と表示装置２の表示画面とを交互に見ながら作業するような場合であっても、実際に見える装置と表示された画像とに相関が取れるため、作業者の違和感を抑え、作業効率を向上させることが可能となる。
【００８６】
以上のように、表示装置２を支持する各アームおよび、表示装置２を上下左右方向に回動させ、表示画面を作業者の作業方向に向けたときに、作業者がメンテナンス等を行おうとするユニットが表示されるとともに、表示装置２と作業者との位置関係により表示内容を変化させることが可能となるので、作業者が見ている装置と同じ方向から見た装置の画像を表示することができる。また、好みに応じて表示サイズなども変化させることが可能となり、ジャム処理や装置メンテナンスの作業効率を向上させることが可能となる。
【図面の簡単な説明】
【００８７】
【図１】本発明の実施の一形態である複写機１００の電気的構成を示すブロック図である。
【図２】複写機１００の全体構成を示す外観図である。
【図３】複写機１００にオプション装置を装着した際の構成を示す外観図である。
【図４】複写機１００に紙詰まり（ジャム）が発生した際の、作業手順であるジャムガイダンスの表示例を示す図である。
【図５】複写機１００に紙詰まり（ジャム）が発生した際の、作業手順であるジャムガイダンスの表示例を示す図である。
【図６】複写機１００に紙詰まり（ジャム）が発生した際の、作業手順であるジャムガイダンスの表示例を示す図である。
【図７】装置本体に取り付けられる表示装置２を支持する支持装置１０の構成を示す外観図である。
【図８】複写機１００を上から見た図である。
【図９】複写機１００を上から見た図である。
【図１０】複写機１００を側方から見た図である。
【図１１】複写機１００を側方から見た図である。
【図１２】表示装置２の表示部２ａに表示される画像例を示す図である。
【図１３】表示装置２の表示部２ａに表示される画像例を示す図である。
【図１４】複写機１００を上から見た図である。
【図１５】複写機１００を上から見た図である。
【図１６】複写機１００を上から見た図である。
【図１７】複写機１００を上から見た図である。
【図１８】表示装置２の表示部２ａに表示される画像例を示す図である。
【図１９】表示装置２の表示部２ａに表示される画像例を示す図である。
【図２０】複写機１００を上から見た図である。
【００８８】
【図２１】複写機１００を上から見た図である。
【図２２】表示装置２の表示部２ａに表示される画像例を示す図である。
【図２３】表示装置２の表示部２ａに表示される画像例を示す図である。
【符号の説明】
【００８９】
１  制御部
２  表示装置
３  ＲＯＭ
４  ＲＡＭ
５  画像記憶部
６  原稿読取部
７  印字部
８  電源部
１０  支持装置
１１  支柱
１２  アーム
１３  第１アーム
１４  第２アーム
１５  第３アーム
１００  複写機
【図１】
0004560562.tif 000002
【図７】
0004560562.tif 000003
【図８】
0004560562.tif 000004
【図９】
0004560562.tif 000005
【図１０】
0004560562.tif 000006
【図１１】
0004560562.tif 000007
【図１２】
0004560562.tif 000008
【図１４】
0004560562.tif 000009
【図１５】
0004560562.tif 000010
【図１６】
0004560562.tif 000011
【図１７】
0004560562.tif 000012
【図１８】
0004560562.tif 000013
【図１９】
0004560562.tif 000014
【図２０】
0004560562.tif 000015
【図２１】
0004560562.tif 000016
【図２２】
0004560562.tif 000017
【図２３】
0004560562.tif 000018
【図２】
0004560562.tif 000019
【図３】
0004560562.tif 000020
【図４】
0004560562.tif 000021
【図５】
0004560562.tif 000022
【図６】
0004560562.tif 000023
【図１３】
0004560562.tif 000024